(57)【要約】  この発明に係るエレベータ装置は、エレベータのかご位置を特定するかご位置判定部と、かご位置判定部により特定されたかご位置に基づいて、かご内の乗客に対して、現状のかご位置が自身の降車目的階と一致しているか否かを判断可能とする識別情報を、かご位置を表示するためにかご内に設置されたかご位置表示器以外のかご機器を用いて提供する制御部とを備える。
2019171530.tif 000002
【特許請求の範囲】
【請求項１】
エレベータのかご位置を特定するかご位置判定部と、
前記かご位置判定部により特定された前記かご位置に基づいて、かご内の乗客に対して、現状のかご位置が自身の降車目的階と一致しているか否かを判断可能とする識別情報を、かご位置を表示するためにかご内に設置されたかご位置表示器以外のかご機器を用いて提供する制御部と
を備えるエレベータ装置。
【請求項２】
前記かご位置表示器以外のかご機器は、照明色を切り替えて点灯可能なかご内照明を含み、
前記制御部は、かご位置と照明色との対応関係をあらかじめ記憶しており、かご位置に応じた照明色となるように前記かご内照明を制御することで、前記かご内の乗客に対して前記識別情報を提供する
請求項１に記載のエレベータ装置。
【請求項３】
前記かご位置表示器以外のかご機器は、かご内スピーカーを含み、
前記制御部は、かご位置と音響パターンとの対応関係をあらかじめ記憶しており、前記かご内スピーカーを介してかご位置に応じた音響パターンを報知させることで、前記かご内の乗客に対して前記識別情報を提供する
請求項１に記載のエレベータ装置。
【請求項４】
前記かご位置表示器以外のかご機器は、映像表示器を含み、
前記制御部は、かご位置と映像パターンとの対応関係をあらかじめ記憶しており、前記映像表示器を介してかご位置に応じた映像パターンを表示させることで、前記かご内の乗客に対して前記識別情報を提供する
請求項１に記載のエレベータ装置。
【請求項５】
かご内に設置されたカメラにより撮像された映像に基づいてかご内の乗客の視線範囲を特定する視線範囲検知部をさらに備え、
前記制御部は、前記視線範囲検知部により特定された前記視線範囲に前記かご位置表示器が含まれていないと判断した場合には、前記識別情報を提供する
請求項１から４のいずれか１項に記載のエレベータ装置。
【請求項６】
かご内に設置されたカメラにより撮像された映像に基づいてかご内の乗客の視線範囲を特定する視線範囲検知部をさらに備え、
前記制御部は、前記視線範囲検知部により特定された前記視線範囲内に、前記識別情報を提供する
請求項１から４のいずれか１項に記載のエレベータ装置。
【請求項７】
かご内の乗客に対して、現状のかご位置が自身の降車目的階と一致しているか否かを判断可能とする識別情報を、かご位置を表示するためにかご内に設置されたかご位置表示器以外のかご機器を用いて提供するためのエレベータ制御方法であって、
エレベータのかご位置を特定するかご位置特定ステップと、
かご位置と前記識別情報との対応関係をあらかじめ記憶部に記憶させておく記憶ステップと、
前記かご位置特定ステップにより特定された前記かご位置に対応する識別情報を前記記憶部から抽出し、抽出した前記識別情報を前記かご内の乗客に対して提供する情報提供ステップと
を有するエレベータ制御方法。
【発明の詳細な説明】
【技術分野】
【０００１】
本発明は、誤降車を防止するエレベータ装置およびエレベータ制御方法に関するものである。
【背景技術】
【０００２】
降車間違いを防止する目的で、これからかごが停止する階で、降車する乗客が居ない場合には、その旨をかご内の乗客に注意喚起する表示手段を備えた従来技術がある（例えば、特許文献１、２参照）。【０００３】
また、ドアに設けられたセンサによる検出結果に基づいて誤降車を検出することで、アナウンス等により、乗客に誤降車を知らせる従来技術もある（例えば、特許文献３参照）。
【先行技術文献】
【特許文献】
【０００４】
【特許文献１】特開２０１３−２０９１９４号公報
【特許文献２】特開２００６−２５６８３５号公報
【特許文献３】特開２００７−２１７１３２号公報
【発明の概要】
【発明が解決しようとする課題】
【０００５】
しかしながら、従来技術には、以下のような課題がある。
特許文献１、２に記載の従来技術においては、かご内の他の乗客につられて、本来降車すべき階床以外で乗客が降りてしまうことまでは、防止することができない。【０００６】
特許文献３に記載の従来技術においては、降りるという動作をすることで誤降車が検知された後に、誤降車を報知している。このため、報知までに時間がかかり、エレベータの利用効率が低下してしまう。【０００７】
本発明は、前記のような課題を解決するためになされたものであり、エレベータの利用効率の低下を防止した上で誤降車を防止することのできるエレベータ装置およびエレベータ制御方法を得ることを目的とする。
【課題を解決するための手段】
【０００８】
本発明に係るエレベータ装置は、エレベータのかご位置を特定するかご位置判定部と、かご位置判定部により特定されたかご位置に基づいて、かご内の乗客に対して、現状のかご位置が自身の降車目的階と一致しているか否かを判断可能とする識別情報を、かご位置を表示するためにかご内に設置されたかご位置表示器以外のかご機器を用いて提供する制御部とを備えるものである。【０００９】
また、本発明に係るエレベータ制御方法は、かご内の乗客に対して、現状のかご位置が自身の降車目的階と一致しているか否かを判断可能とする識別情報を、かご位置を表示するためにかご内に設置されたかご位置表示器以外のかご機器を用いて提供するためのエレベータ制御方法であって、エレベータのかご位置を特定するかご位置特定ステップと、かご位置と識別情報との対応関係をあらかじめ記憶部に記憶させておく記憶ステップと、かご位置特定ステップにより特定されたかご位置に対応する識別情報を記憶部から抽出し、抽出した識別情報をかご内の乗客に対して提供する情報提供ステップとを有するものである。
【発明の効果】
【００１０】
本発明によれば、かご位置に基づいて、かご内の乗客に対して、現状のかご位置が自身の降車目的階と一致しているか否かを判断可能とする識別情報を、かご位置表示器以外のかご機器を用いて提供できる構成を備えている。この結果、エレベータの利用効率の低下を防止した上で誤降車を防止することのできるエレベータ装置およびエレベータ制御方法を得ることができる。
【図面の簡単な説明】
【００１１】
【図１】本発明の実施の形態１に係るエレベータ装置を利用した建物の全体構成図である。
【図２】本発明の実施の形態１に係るエレベータ装置に適用されるかご内部の正面図である。
【図３】本発明の実施の形態１に係るエレベータ装置の機能ブロック図である。
【図４】本発明の実施の形態１に係るエレベータ装置の一連処理を示すフローチャートである。
【図５】本発明の実施の形態１に係るエレベータ装置の一連処理を示す、図４とは異なるフローチャートである。
【発明を実施するための形態】
【００１２】
以下、本発明のエレベータ装置の好適な実施の形態につき、図面を用いて説明する。
【００１３】
実施の形態１．
図１は、本発明の実施の形態１に係るエレベータ装置を利用した建物の全体構成図である。建物には、複数の階が設けられており、図１に示した建物では、地下１階〜５階が設けられる場合を例示している。建物には、各階を貫くようにエレベータの昇降路１が設けられている。
【００１４】
建物の各階には、昇降路１に対向して、エレベータの乗場２が設けられている。昇降路１内には、エレベータのかご１０が設けられている。
【００１５】
建物には、かご１０を利用して階床を移動する利用客が存在する。図１においては、５階に利用客３ａ、３階に利用客３ｂが存在する場合を例示している。また、図１において、建物は、１階にエントランス、地下１階に駐車場が設けられている。従って、１階および地下１階は、利用客が降車する頻度の高い階に相当する。
【００１６】
次に、図２を用いて、かご１０内の構成を説明をする。図２は、本発明の実施の形態１に係るエレベータ装置に適用されるかご１０内部の正面図である。
【００１７】
図２に示すように、本実施の形態１に係るかご１０は、かご床１１、かご扉１２、かご内で行先階を登録するためのかご内操作盤１３、かご位置表示器１４、かご内照明１５、およびかご内スピーカー１６を備えて構成されている。
【００１８】
例えば、利用客３ａは、普段から地下１階を頻繁に利用していることを想定する。この想定において、利用客３ａは、５階でかご１０に乗車した場合には、かご内操作盤１３にて地下１階の呼びを登録する。
【００１９】
また、例えば、利用客３ｂは、普段から１階を頻繁に利用していることを想定する。この想定において、利用客３ｂは、３階でかご１０に乗車した場合には、かご内操作盤１３にて１階の呼びを登録する。
【００２０】
ここで、利用客３ａが、５階からかご１０に乗車した際に、利用客３ｂは、３階の乗場２から呼びを登録している場合を考える。この場合、利用客３ｂにより登録された乗場呼びによって、かご１０は、かご１０内に利用客３ａしか乗車していない状態で、３階に到着しようとする。このため、利用客３ａは、次に停車する予定の３階が、自身が呼び登録した降車階である地下１階だと勘違いしてしまい、３階に到着してかご扉１２が開いた際に、誤って降車してしまう可能性がある。
【００２１】
例えば、利用客３ｂが乗場呼びを登録した後に、階段等で移動し、３階の乗場に居なくなってしまうと、３階に到着した際に利用客３ｂがかご１０に乗車することがなくなってしまう。このようなケースでは、利用客３ａが誤って３階で降車してしまう可能性は、さらに高まる。
【００２２】
そこで、本実施の形態１では、かご１０内のそれぞれの乗客が、かご１０の停止階を、かご内照明１５の照明色により識別可能とする点に技術的特徴を有している。具体的には、利用客３ａがかご１０に乗車している状態で、降車目的階である地下１階に到着する前に、かご１０が３階に到着すると、かご内照明１５は、３階専用の照明色で点灯された状態となるように制御される。
【００２３】
従って、利用客３ａは、かご１０内に標準装備されているかご位置表示器１４を注視していなくても、視界に入るかご内照明１５の照明色が、普段自分の利用する地下１階専用の照明色で点灯していないことで、自分の降りる階ではないと気付くことができる。
【００２４】
あるいは、利用客３ａは、かご１０内に標準装備されているかご内スピーカー１６の音を聞き取れなくても、視界に入るかご内照明１５の照明色が、普段自分の利用する地下１階専用の照明色で点灯していないことで、自分の降りる階ではないと気付くことができる。
【００２５】
従って、かご１０が３階に停車し、かご扉１２が開いた際に、３階の乗場に人が居なくなっていたとしても、かご１０内の利用客３ａは、視界に入る照明色が普段自分の利用する地下１階専用の照明色に点灯していないことで、自分の降りる階ではないと気付き、誤降車を防止することができる。
【００２６】
次に、別の例として、利用客３ａがかご１０に乗車している状態で、利用客３ｂが３階から乗車し、かご１０が１階の乗場２に到着しようとする場合を考える。すなわち、降車目的階が異なる複数の乗客が、かご１０内に同乗している場合を考える。
【００２７】
この場合、かご１０内に標準装備されているかご位置表示器１４は、１階を表示する。ただし、利用客３ａは、例えば、携帯電話あるいはスマートフォンを操作しており、かご位置表示器１４を注視していないとする。このような状況では、利用客３ａは、まだ目的の地下１階に到着していないことに気付かず、利用客３ｂにつられて、１階で降車してしまう可能性がある。
【００２８】
また、かご１０が１階の乗場２に到着しようとする場合に、かご１０内に標準装備されているかご内スピーカー１６から１階に到着することを報知させることもできる。ただし、利用客３ａは、携帯音楽プレイヤーなどのイヤホンを利用していることにより、かご内スピーカー１６からの報知情報を聞くことができないとする。このような状況では、利用客３ａは、まだ目的の地下１階に到着していないことに気付かず、利用客３ｂにつられて降車してしまう可能性がある。
【００２９】
そこで、本実施の形態１では、かご１０内のそれぞれの乗客が、かご１０の停止階を、かご内照明１５の照明色により識別可能とする点に技術的特徴を有している。具体的には、利用客３ａ、３ｂがかご１０に乗車している状態で、利用客３ａの降車目的階である地下１階に到着する前に、かご１０が利用客３ｂの降車目的階である１階に到着すると、かご内照明１５は、１階専用の照明色で点灯された状態となるように制御される。
【００３０】
従って、利用客３ａは、かご１０内に標準装備されているかご位置表示器１４を注視していなくても、視界に入るかご内照明１５の照明色が、普段自分の利用する地下１階専用の照明色で点灯していないことで、自分の降りる階ではないと気付くことができる。
【００３１】
あるいは、利用客３ａは、かご１０内に標準装備されているかご内スピーカー１６の音を聞き取れなくても、視界に入るかご内照明１５の照明色が、普段自分の利用する地下１階専用の照明色で点灯していないことで、自分の降りる階ではないと気付くことができる。
【００３２】
なお、誤降車を防止するに当たっては、かご内照明１５の照明色により降車階を識別可能とする以外に、かご内スピーカー１６から流す音楽、到着音などの音情報によって、降車階を識別可能とすることも考えられる。利用客３ａは、かご位置表示器１４を注視していなくても、普段自分の利用している地下１階専用の音情報が流れていないことで、自分の降りる階ではないと気付くことができる。
【００３３】
音情報に関しては、例えば、かご１０が走行している間、階を通過する度に、かご内スピーカー１６から階床を識別するための音情報を流すことも可能である。
【００３４】
例えば、ショッピングセンター等のように、普段利用する階が決まっていない建物であっても、音情報を利用することで、かご１０内の利用客は、自分の降りる階であるかないかに気付くことができる。例えば、視覚障害者であっても、音情報を頼りにすることで、自分の降りる階でないことに気付くことができる。
【００３５】
また、誤降車防止のさらに別の例としては、プロジェクタによる表示情報を利用することも考えられる。具体的には、かご１０内にプロジェクタを設置し、かご扉１２における視線の高さに、プロジェクタを利用して階床を識別するための情報を表示させることができる。
【００３６】
この場合には、例えば、かご位置表示器１４がかご１０の上部に設置されており、注視しにくい状況であったとしても、利用客は、かご１０内が閑散としているときには、プロジェクタを介してかご扉１２に表示された階床を識別するための情報を視認することで、自分の降りる階ではないことに気付くことができる。
【００３７】
また、たとえ混雑時であっても、かご扉１２付近に立っている利用客３であれば、プロジェクタを介してかご扉１２に表示された階床を識別するための情報を確認することができる。なお、かご扉１２から離れた位置に立っている利用客３は、すぐに降車することは容易ではないため、誤降車する可能性は低い。
【００３８】
なお、かご１０内に設置されたプロジェクタを利用して、かご扉１２が開いた後は、かご床１１と乗場２の床を横断して、階床を識別するための情報を表示させることもできる。この場合には、利用客３は、視線が低い位置にあった場合であっても、表示された階床を識別するための情報を視認できることで、かご１０内において自分の降りる階ではないことに気付くことができる。
【００３９】
また、たとえ混雑時であっても、かご扉１２付近に立っている利用客３であれば、プロジェクタを介して表示された階床を識別するための情報を確認することができる。なお、かご扉１２から離れた位置に立っている利用客３は、すぐに降車することは容易ではないため、誤降車する可能性は低い。
【００４０】
ここで、プロジェクタを利用する場合には、階床ごとに異なる映像を表示するように、識別表示を行わせることも可能である。例えば、階床ごとに異なる動物あるいはキャラクターを識別表示させても良い。あるいは、例えば、最下階が深海、最上階が海上となるような連続した映像を用いて、かご位置を感覚的に識別できるような表示を行わせても良い。
【００４１】
また、かご１０内に設置されたディスプレイによる表示情報を階床の識別情報として利用することも考えられる。例えば、ディスプレイに対して、階床ごとに異なる映像を表示しても良い。具体的には、階床ごとに、異なる動物、キャラクター等を表示させても良い。また、最下階が深海、最上階が海上となるような連続した映像を用いて、かご位置を感覚的に識別できるような表示を行わせても良い。
【００４２】
なお、図２では図示されていないが、かご位置表示器１４付近に視線範囲検知器を設ける構成を採用することも考えられる。視線範囲検知器は、利用客３がかご位置表示器１４に注意していないことを検知することができる。
【００４３】
利用客３がかご位置表示器１４に注意していないことが視線範囲検知器により検知された場合には、誤降車を防止するために、上述したような識別照明色、識別音、および識別表示内容の１つ以上の情報を、誤降車を防止するための識別情報として採用することができる。
【００４４】
さらに、利用客３がかご位置表示器１４に注意していないことを検知するための視線範囲検知器に加え、利用客３の視線エリアを検知する第２の視線範囲検知器をかご内に設ける構成を採用することも考えられる。このように、第２の視線範囲検知器が設けられている場合には、乗客の視線エリアに向けて、識別照明色あるいは識別表示内容を表示させても良い。
【００４５】
この結果、利用客３は、かご位置表示器１４に注意していない場合にも、視界に入る照明色あるいは表示内容が自分の降りる階の特徴ではないことに気付き、誤降車を防止することができる。なお、利用客３がかご位置表示器１４に注意していないことを検知するための視線範囲検知器が、第２の視線範囲検知器の機能を兼ね備える構成とすることも可能である。
【００４６】
次に、本実施の形態１に係るエレベータ装置の機能構成について説明する。図３は、本発明の実施の形態１に係るエレベータ装置の機能ブロック図である。この図３を用いて、上述したような識別照明色、識別音、識別表示内容により階床識別を実現するための具体的な制御構成について説明する。
【００４７】
図３に示すように、本実施の形態１に係るエレベータ装置は、エレベータ制御盤２０に設けられた各構成機器と、かご機器制御盤３０内に設けられた各構成機器と、を備えている。エレベータ制御盤２０内の構成機器としては、かご位置判定部２１およびエレベータ制御部２２が含まれている。
【００４８】
一方、かご機器制御盤３０内の構成機器としては、カメラ３１、視線範囲検知部３２、かご内スピーカー３３、音響制御部３４、かご内照明３５、照明制御部３６、映像表示器３７、および映像制御部３８が含まれている。
【００４９】
図３のこのような機能構成に基づく具体的な処理を、図４および図５のフローチャートを参照して説明する。まず、図４は、本発明の実施の形態１に係るエレベータ装置の一連処理を示すフローチャートである。図４のフローチャートを用いた以下の説明では、カメラ３１および視線範囲検知部３２を備えていない構成において、識別照明色、識別音、識別表示内容のそれぞれの情報により階床識別を実現する場合の一連処理を説明する。
【００５０】
ステップＳ４０１において、かご位置判定部２１は、かご１０の現在位置であるかご位置を判定する。次に、ステップＳ４０２において、エレベータ制御部２２は、かご位置判定部２１により判定されたかご位置に応じて、かご機器制御盤３０内の音響制御部３４、照明制御部３６、および映像制御部３８のそれぞれに対する制御指令を出力する。それぞれの制御指令について、以下に具体的に説明する。
【００５１】
ステップＳ４０３において、エレベータ制御部２２は、音響制御部３４に対して、かご位置に応じた制御指令として、音響パターン指令を出力する。これに対して、ステップＳ４０４において、音響制御部３４は、エレベータ制御部２２からの音響パターン指令に応じて、かご内スピーカー３３を介して、かご位置に応じた音響パターンを鳴動する。なお、図３中のかご内スピーカー３３は、先の図２中のかご内スピーカー１６に相当する。また、音響パターン指令と、鳴動する音響パターンとの対応関係は、音響制御部３４内の記憶部にあらかじめ記憶されている。
【００５２】
また、ステップＳ４０５において、エレベータ制御部２２は、照明制御部３６に対して、かご位置に応じた制御指令として、照明色パターン指令を出力する。これに対して、ステップＳ４０６において、照明制御部３６は、エレベータ制御部２２からの照明色パターン指令に応じて、かご内照明３５の照明色を変更する。なお、図３中のかご内照明３５は、先の図２中のかご内照明１５に相当する。また、照明色パターン指令と、実際に点灯される照明色との対応関係は、照明制御部３６内の記憶部にあらかじめ記憶されている。
【００５３】
また、ステップＳ４０７において、エレベータ制御部２２は、映像制御部３８に対して、かご位置に応じた制御指令として、映像パターン指令を出力する。これに対して、ステップＳ４０８において、映像制御部３８は、エレベータ制御部２２からの映像パターン指令に応じて、映像表示器３７に表示される映像パターンを変更する。なお、映像パターン指令と、実際に表示される表示パターンとの対応関係は、映像制御部３８内の記憶部にあらかじめ記憶されている。
【００５４】
なお、映像表示器３７としては、表示位置が固定されたディスプレイを用いることができ、また、表示位置が変更可能なプロジェクタを用いることもできる。
【００５５】
次に、図５は、本発明の実施の形態１に係るエレベータ装置の一連処理を示す、図４とは異なるフローチャートである。図５のフローチャートを用いた以下の説明では、カメラ３１および視線範囲検知部３２を備えている構成において、識別照明色、識別音、識別表示内容のそれぞれの情報により階床識別を実現する場合の一連処理を説明する。なお、図４と同一の処理に関しては、同一のステップ番号を付し、適宜説明を簡略化する。
【００５６】
ステップＳ４０１において、かご位置判定部２１は、かご１０の現在位置であるかご位置を判定する。次に、ステップＳ５０１において、かご機器制御盤３０内の視線範囲検知部３２は、かご内に設置されたカメラ３１の映像を元に、かご１０内の乗客の視線範囲を特定する。そして、視線範囲検知部３２は、特定した視線範囲を視線検出範囲として、エレベータ制御部２２へ伝送する。
【００５７】
ステップＳ５０２において、エレベータ制御部２２は、視線範囲検知部３２から受信した視線検知範囲内にかご位置表示器１４が有るか無いかを判定する。そして、エレベータ制御部２２は、視線検知範囲内にかご位置表示器１４が有ると判定した場合には、乗客がかご位置表示器１４を視認できると判断し、ステップＳ４０２以降の処理を実行せず、一連処理を終了することができる。
【００５８】
一方、エレベータ制御部２２は、視線検知範囲内にかご位置表示器１４が無いと判定した場合には、図４で説明したステップＳ４０２以降の処理を実行する。より具体的には、エレベータ制御部２２は、視線検知範囲内にかご位置表示器１４が無い場合には、ステップＳ４０３において、音響制御部３４に対して、かご位置判定部２１によるかご位置情報に応じた音響パターン指令を出力することができる。
【００５９】
これに対して、ステップＳ４０４において、音響制御部３４は、エレベータ制御部２２からの音響パターン指令に応じて、かご内スピーカー３３を介して、かご位置に応じた音響パターンを鳴動させることができる。
【００６０】
また、ステップＳ４０５において、エレベータ制御部２２は、視線範囲検知部３２から受信した視線検知範囲内にかご位置表示器１４が無い場合には、照明制御部３６に対して、かご位置判定部２１によるかご位置情報に応じた照明色パターン指令を出力することができる。
【００６１】
これに対して、ステップＳ４０６において、照明制御部３６は、エレベータ制御部２２からの照明色パターン指令に応じて、かご内照明３５の照明色を変更させることができる。なお、かご内照明３５が異なる場所に配置された複数の照明から構成される場合には、照明制御部３６は、照明色パターン指令とともに、視線範囲検知部３２により特定された視線検出範囲をエレベータ制御部２２から受信することができる。
【００６２】
この場合には、照明制御部３６は、エレベータ制御部２２から受信した視線検出範囲に基づいて、照明色を変更すべきかご内照明３５を特定し、特定したかご内照明３５の照明色を変更させることができる。
【００６３】
さらに、ステップＳ４０７において、エレベータ制御部２２は、視線範囲検知部３２から受信した視線検知範囲内にかご位置表示器１４が無い場合には、映像制御部３８に対して、かご位置判定部２１によるかご位置情報に応じた映像パターン指令を出力することができる。
【００６４】
これに対して、ステップＳ４０８において、映像制御部３８は、エレベータ制御部２２からの映像パターン指令に応じて、映像表示器３７に表示される映像パターンを変更させることができる。なお、映像制御部３８は、表示位置が変更可能なプロジェクタを映像表示器３７として使用している場合には、映像パターン指令とともに、視線範囲検知部３２により特定された視線検出範囲をエレベータ制御部２２から受信することができる。
【００６５】
この場合には、映像制御部３８は、エレベータ制御部２２から受信した視線検出範囲に基づいて、映像パターンを表示すべき映像表示位置を特定し、特定した映像表示位置に応じて、プロジェクタによる映像表示位置を変更させることができる。
【００６６】
以上のように、実施の形態１によれば、かご内の乗客がかご位置表示器による表示内容を視認していない場合にも、停止階を識別可能な照明色情報、音情報、および表示内容情報の少なくともいずれかを、誤降車防止のための識別情報として報知できる構成を備えている。この結果、かご内の乗客は、自身が降車すべき階でないことを容易に気付くことができ、誤降車を防止することができる。
【符号の説明】
【００６７】
１０  かご、１４  かご位置表示器、１５  かご内照明、１６  かご内スピーカー、２０  エレベータ制御盤、２１  かご位置判定部、２２  エレベータ制御部、３０  かご機器制御盤、３１  カメラ、３２  視線範囲検知部（視線範囲検知器）、３３  かご内スピーカー、３４  音響制御部、３５  かご内照明、３６  照明制御部、３７  映像表示器、３８  映像制御部。
【図１】
2019171530.tif 000003
【図２】
2019171530.tif 000004
【図３】
2019171530.tif 000005
【図４】
2019171530.tif 000006
【図５】
2019171530.tif 000007
【手続補正書】
【提出日】令和2年2月10日(2020.2.10)
【手続補正１】
【補正対象書類名】明細書
【補正対象項目名】０００８
【補正方法】変更
【補正の内容】
【０００８】
本発明に係るエレベータ装置は、エレベータのかご位置を特定するかご位置判定部と、かご位置判定部により特定されたかご位置に基づいて、かご内の乗客に対して、現状のかご位置が自身の降車目的階と一致しているか否かを判断可能とする識別情報を、かご位置を表示するためにかご内に設置されたかご位置表示器以外のかご機器を用いて提供する制御部とを備えるものであって、かご内に設置されたカメラにより撮像された映像に基づいてかご内の乗客の視線範囲を特定する視線範囲検知部をさらに備え、制御部は、視線範囲検知部により特定された視線範囲にかご位置表示器が含まれていないと判断した場合には、識別情報を提供するものである。
【手続補正２】
【補正対象書類名】明細書
【補正対象項目名】０００９
【補正方法】変更
【補正の内容】
【０００９】
また、本発明に係るエレベータ制御方法は、かご内の乗客に対して、現状のかご位置が自身の降車目的階と一致しているか否かを判断可能とする識別情報を、かご位置を表示するためにかご内に設置されたかご位置表示器以外のかご機器を用いて提供するためのエレベータ制御方法であって、エレベータのかご位置を特定するかご位置特定ステップと、かご位置と識別情報との対応関係をあらかじめ記憶部に記憶させておく記憶ステップと、かご位置特定ステップにより特定されたかご位置に対応する識別情報を記憶部から抽出し、抽出した識別情報をかご内の乗客に対して提供する情報提供ステップと、かご内に設置されたカメラにより撮像された映像に基づいてかご内の乗客の視線範囲を特定する視線範囲検知ステップとを有し、情報提供ステップは、視線範囲検知ステップにより特定された視線範囲にかご位置表示器が含まれていないと判断した場合には、識別情報を提供するものである。
【手続補正３】
【補正対象書類名】特許請求の範囲
【補正対象項目名】全文
【補正方法】変更
【補正の内容】
【特許請求の範囲】
【請求項１】
エレベータのかご位置を特定するかご位置判定部と、
前記かご位置判定部により特定された前記かご位置に基づいて、かご内の乗客に対して、現状のかご位置が自身の降車目的階と一致しているか否かを判断可能とする識別情報を、かご位置を表示するためにかご内に設置されたかご位置表示器以外のかご機器を用いて提供する制御部と
を備えるエレベータ装置であって、
かご内に設置されたカメラにより撮像された映像に基づいてかご内の乗客の視線範囲を特定する視線範囲検知部をさらに備え、
前記制御部は、前記視線範囲検知部により特定された前記視線範囲に前記かご位置表示器が含まれていないと判断した場合には、前記識別情報を提供する
エレベータ装置。
【請求項２】
エレベータのかご位置を特定するかご位置判定部と、
前記かご位置判定部により特定された前記かご位置に基づいて、かご内の乗客に対して、現状のかご位置が自身の降車目的階と一致しているか否かを判断可能とする識別情報を、かご位置を表示するためにかご内に設置されたかご位置表示器以外のかご機器を用いて提供する制御部と
を備えるエレベータ装置であって、
かご内に設置されたカメラにより撮像された映像に基づいてかご内の乗客の視線範囲を特定する視線範囲検知部をさらに備え、
前記制御部は、前記視線範囲検知部により特定された前記視線範囲内に、前記識別情報を提供する
エレベータ装置。
【請求項３】
前記かご位置表示器以外のかご機器は、照明色を切り替えて点灯可能なかご内照明を含み、
前記制御部は、かご位置と照明色との対応関係をあらかじめ記憶しており、かご位置に応じた照明色となるように前記かご内照明を制御することで、前記かご内の乗客に対して前記識別情報を提供する
請求項１または２に記載のエレベータ装置。
【請求項４】
前記かご位置表示器以外のかご機器は、かご内スピーカーを含み、
前記制御部は、かご位置と音響パターンとの対応関係をあらかじめ記憶しており、前記かご内スピーカーを介してかご位置に応じた音響パターンを報知させることで、前記かご内の乗客に対して前記識別情報を提供する
請求項１または２に記載のエレベータ装置。
【請求項５】
前記かご位置表示器以外のかご機器は、映像表示器を含み、
前記制御部は、かご位置と映像パターンとの対応関係をあらかじめ記憶しており、前記映像表示器を介してかご位置に応じた映像パターンを表示させることで、前記かご内の乗客に対して前記識別情報を提供する
請求項１または２に記載のエレベータ装置。
【請求項６】
かご内の乗客に対して、現状のかご位置が自身の降車目的階と一致しているか否かを判断可能とする識別情報を、かご位置を表示するためにかご内に設置されたかご位置表示器以外のかご機器を用いて提供するためのエレベータ制御方法であって、
エレベータのかご位置を特定するかご位置特定ステップと、
かご位置と前記識別情報との対応関係をあらかじめ記憶部に記憶させておく記憶ステップと、
前記かご位置特定ステップにより特定された前記かご位置に対応する識別情報を前記記憶部から抽出し、抽出した前記識別情報を前記かご内の乗客に対して提供する情報提供ステップと、
かご内に設置されたカメラにより撮像された映像に基づいてかご内の乗客の視線範囲を特定する視線範囲検知ステップと
を有し、
前記情報提供ステップは、前記視線範囲検知ステップにより特定された前記視線範囲に前記かご位置表示器が含まれていないと判断した場合には、前記識別情報を提供する
エレベータ制御方法。
【請求項７】
かご内の乗客に対して、現状のかご位置が自身の降車目的階と一致しているか否かを判断可能とする識別情報を、かご位置を表示するためにかご内に設置されたかご位置表示器以外のかご機器を用いて提供するためのエレベータ制御方法であって、
エレベータのかご位置を特定するかご位置特定ステップと、
かご位置と前記識別情報との対応関係をあらかじめ記憶部に記憶させておく記憶ステップと、
前記かご位置特定ステップにより特定された前記かご位置に対応する識別情報を前記記憶部から抽出し、抽出した前記識別情報を前記かご内の乗客に対して提供する情報提供ステップと、
かご内に設置されたカメラにより撮像された映像に基づいてかご内の乗客の視線範囲を特定する視線範囲検知ステップと
を有し、
前記情報提供ステップは、前記視線範囲検知ステップにより特定された前記視線範囲内に、前記識別情報を提供する
エレベータ制御方法。
【国際調査報告】
2019171530.tif 000008
2019171530.tif 000009
2019171530.tif 000010
2019171530.tif 000011